(57)【要約】【課題】据え付け施工時に、本体ケースに配設されたホースやコードなどが転倒防止治具に引っかかって作業性を低下させることを防止することが可能で、かつ、食器洗浄機の本体ケース側係合部と転倒防止治具側係合部とを容易に係合させることが可能な、据え付け施工時の作業性が良好な食器洗浄機を提供する。【解決手段】設置対象（収納キャビネット）２に取り付けられる転倒防止治具１２を、上辺１４が奥側に向かって上り勾配を有する一対の側壁部１３と、一対の側壁部の間の、一対の側壁部の上辺に沿う方向の奥側の位置に配設され、本体側係合部１１と係合する転倒防止治具側係合部１５とを備えた構成とする。  転倒防止治具側係合部が側壁部の上辺から突出しないようにする。  さらに、本体ケース側固定用係合部２３と、設置対象側（収納キャビネット側）固定治具２４とを備えた構成とし、両者を締結部材２５により締結する。【選択図】図１
2006340800.tif 000002
【特許請求の範囲】
【請求項１】
本体ケース内に洗浄槽が収容された構造を有し、設置対象上に載置して使用される食器洗浄機であって、
設置対象に取り付けられる転倒防止治具と、
本体ケースに取り付けられ、設置対象に取り付けられた前記転倒防止治具と係合して、食器洗浄機が転倒することを防止する機能を果たす本体側係合部と
を具備し、かつ、
前記設置対象に取り付けられる転倒防止治具が、上辺が奥側に向かって上り勾配を有する一対の側壁部と、前記一対の側壁部の間の、前記一対の側壁部の上辺に沿う方向の奥側の位置に配設され、前記本体側係合部と係合する転倒防止治具側係合部とを備え、
前記本体ケースを、手前側から奥側に移動させ、前記本体側係合部を前記転倒防止治具側係合部と係合させることにより転倒が防止されるように構成されていること
を特徴とする食器洗浄機。
【請求項２】
前記本体側係合部を、前記転倒防止治具の前記一対の側壁部の間に位置させた状態で、前記本体ケースを、手前側から奥側に移動させることにより、前記本体側係合部が前記一対の側壁部にガイドされて奥側に移動し、前記転倒防止治具側係合部と係合するように構成されていることを特徴とする請求項１記載の食器洗浄機。
【請求項３】
前記本体ケースの底面が、中央部が下方に突出した逆凸型形状を有しており、かつ、
前記転倒防止治具が２個、前記設置対象の上面に、前記側壁部どうしが対向するように所定の間隔をおいて取り付けられ、
前記本体ケースの下面側に突出した凸部が前記２個の転倒防止治具の間にはまり込み、前記２個の転倒防止治具によりガイドされて奥側に移動し、前記本体側係合部が前記転倒防止治具側係合部と係合するように構成されていること
を特徴とする請求項１または２記載の食器洗浄機。
【請求項４】
前記転倒防止治具側係合部が、前記一対の側壁部の上辺から突出しないように構成されていることを特徴とする請求項１〜３のいずれかに記載の食器洗浄機。
【請求項５】
前記転倒防止治具側係合部が、奥側から手前側に向かって突出する爪状突起であり、前記本体側係合部が前記転倒防止治具側係合部である爪状突起の下側に入り込んで爪状突起と係合する係合片であって、
前記転倒防止治具側係合部である爪状突起に、その手前側部分が上方に傾斜するような曲折部が設けられており、該上方に傾斜した手前側部分が、前記本体側係合部である係合片を、前記爪状突起の下側に入り込ませるガイドとして機能するとともに、前記転倒防止治具の爪状突起の前記曲折部より奥側部分が、前記本体側係合部である係合片を下方に押し付ける押し付け部として機能するように構成されており、
前記本体側係合部である係合片を、前記転倒防止治具の爪状突起の前記曲折部より奥側に押し込むことにより、前記係合片が前記爪状突起の前記曲折部より奥側部分の下面側と当接して下方に押し付けられるように構成されていること
を特徴とする請求項１〜４のいずれかに記載の食器洗浄機。
【請求項６】
前記転倒防止治具が、前記一対の側壁部と、底部と、奥側側壁部とを一体に備え、かつ、前記奥側側壁部に、前記本体側係合部と係合する前記転倒防止治具側係合部が一体に配設されていることを特徴とする請求項１〜５のいずれかに記載の食器洗浄機。
【請求項７】
前記本体ケースに取り付けられ、前記本体ケースの手前方向への移動を防止するための本体ケース側固定用係合部と、
前記設置対象に取り付けられ、前記本体ケース側固定用係合部と係合し、前記本体ケースが手前側に移動して、前記本体側係合部と、前記転倒防止治具側係合部との係合が解除されてしまうことを防止するための設置対象側固定治具と
を備え、
前記本体ケース側固定用係合部と、前記設置対象側固定治具とが締結部材により締結、固定されて前記本体ケースの手前方向への移動が阻止されるように構成されていること
を特徴とする請求項１〜６のいずれかに記載の食器洗浄機。
【発明の詳細な説明】
【技術分野】
【０００１】
本願発明は、食器洗浄機に関し、詳しくは、転倒防止機構を備えた食器洗浄機に関する。
【背景技術】
【０００２】
図９に示すように、本体ケース５１内に洗浄槽（図示せず）が引き出し可能に収容された構造を有し、収納キャビネット５２上に載置して使用される従来の食器洗浄機において、収納キャビネット５２に取り付けられる転倒防止治具５３と、本体ケース５１に取り付けられ、収納キャビネット５２に取り付けられた転倒防止治具５３と係合して、食器洗浄機が転倒することを防止する機能を果たす本体側係合部５４を備えた食器洗浄機がある。
【０００３】
この食器洗浄機において、転倒防止治具５３は図９に示すように、コ字状の部材であり、本体ケース５１に設けられた本体側係合部５４はスリット状の構造部であり、コ字状の転倒防止治具５３の先端部５３ａがスリット状の本体係合部５４に嵌り込むことにより転倒防止が図られるように構成されている。
【０００４】
さらに、この食器洗浄機は、本体ケース５１に取り付けられた、Ｌ字状の本体ケース側固定用係合部５６と、収納キャビネット５２に取り付けられた、Ｌ字状の収納キャビネット側固定治具５７とを備えており、本体ケース５１の固定用係合部５６と、収納キャビネット側固定治具５７をネジ５８により結合固定することにより、本体ケース５１が手前側に移動して、本体側係合部５４と、転倒防止治具５３との係合が解除されてしまうことを防止できるように構成されている。
【０００５】
しかしながら、この従来の食器洗浄機においては、コ字状の転倒防止治具５３が収納キャビネット５２の奥側に配設されているため、本体ケース５１の据え付けの際に、本体ケース自体が前面を塞ぐため、本体ケース５１の背面側に取り付けられた給水ホース５９、排水ホース６０、電源コード６１、アース線６２などが収納キャビネット５２の後部および下部の配管（配線）スペースに収容される前に、コ字状の転倒防止治具５３に引っかかり、場合によっては、本体ケース５１をいったん取り出して、再び据え付けたりすることが必要になるなど、作業性が悪いという問題点がある。
【０００６】
また、本体ケース自体で前面を塞いだ状態で本体ケースを奥に移動させて、手が届きにくく、しかも見えにくい位置にある、本体ケース５１の奥側の、スリット状の本体ケース側固定用係合部５６と、収納キャビネット５２の奥側の収納キャビネット側固定治具５７とを係合させることは困難を伴う場合が多く、手間がかかるという問題点がある。
【０００７】
また、上述の食器洗浄機の他にも、後方の浮き上がり防止や前方固定の構造を有する食器洗浄機が提案されている（特許文献１および２）。しかし、これらの食器洗浄機においても、上述の食器洗浄機の場合と同様の問題点がある。
【特許文献１】特開２００２−３１５７１０号公報
【特許文献２】実開平１−９１４５８号公報
【発明の開示】
【発明が解決しようとする課題】
【０００８】
本願発明は、上記課題を解決するものであり、据え付け施工時に、本体ケースに配設されたホースやコードなどが転倒防止治具に引っかかって作業性を低下させることを防止することが可能で、かつ、食器洗浄機の本体ケース側係合部と転倒防止治具側係合部とを容易に係合させることが可能な、据え付け施工時の作業性が良好で、据え付け後の安全性に優れた食器洗浄機を提供することを目的とする。
【課題を解決するための手段】
【０００９】
上記課題を解決するために、本願発明（請求項１）の食器洗浄機は、
本体ケース内に洗浄槽が収容された構造を有し、設置対象上に載置して使用される食器洗浄機であって、
設置対象に取り付けられる転倒防止治具と、
本体ケースに取り付けられ、設置対象に取り付けられた前記転倒防止治具と係合して、食器洗浄機が転倒することを防止する機能を果たす本体側係合部と
を具備し、かつ、
前記設置対象に取り付けられる転倒防止治具が、上辺が奥側に向かって上り勾配を有する一対の側壁部と、前記一対の側壁部の間の、前記一対の側壁部の上辺に沿う方向の奥側の位置に配設され、前記本体側係合部と係合する転倒防止治具側係合部とを備え、
前記本体ケースを、手前側から奥側に移動させ、前記本体側係合部を前記転倒防止治具側係合部と係合させることにより転倒が防止されるように構成されていること
を特徴としている。
【００１０】
また、請求項２の食器洗浄機は、請求項１の発明の構成において、前記本体側係合部を、前記転倒防止治具の前記一対の側壁部の間に位置させた状態で、前記本体ケースを、手前側から奥側に移動させることにより、前記本体側係合部が前記一対の側壁部にガイドされて奥側に移動し、前記転倒防止治具側係合部と係合するように構成されていることを特徴としている。
【００１１】
また、請求項３の食器洗浄機は、請求項１または２の発明の構成において、
前記本体ケースの底面が、中央部が下方に突出した逆凸型形状を有しており、かつ、
前記転倒防止治具が２個、前記設置対象の上面に、前記側壁部どうしが対向するように所定の間隔をおいて取り付けられ、
前記本体ケースの下面側に突出した凸部が前記２個の転倒防止治具の間にはまり込み、前記２個の転倒防止治具によりガイドされて奥側に移動し、前記本体側係合部が前記転倒防止治具側係合部と係合するように構成されていること
を特徴としている。
【００１２】
また、請求項４の食器洗浄機は、請求項１〜３のいずれかに記載の発明の構成において、前記転倒防止治具側係合部が、前記一対の側壁部の上辺から突出しないように構成されていることを特徴としている。
【００１３】
また、請求項５の食器洗浄機は、請求項１〜４のいずれかに記載の発明の構成において、
前記転倒防止治具側係合部が、奥側から手前側に向かって突出する爪状突起であり、前記本体側係合部が前記転倒防止治具側係合部である爪状突起の下側に入り込んで爪状突起と係合する係合片であって、
前記転倒防止治具側係合部である爪状突起に、その手前側部分が上方に傾斜するような曲折部が設けられており、該上方に傾斜した手前側部分が、前記本体側係合部である係合片を、前記爪状突起の下側に入り込ませるガイドとして機能するとともに、前記転倒防止治具の爪状突起の前記曲折部より奥側部分が、前記本体側係合部である係合片を下方に押し付ける押し付け部として機能するように構成されており、
前記本体側係合部である係合片を、前記転倒防止治具の爪状突起の前記曲折部より奥側に押し込むことにより、前記係合片が前記爪状突起の前記曲折部より奥側部分の下面側と当接して下方に押し付けられるように構成されていること
を特徴としている。
【００１４】
また、請求項６記載の食器洗浄機は、請求項１〜５のいずれかに記載の発明の構成において、前記転倒防止治具が、前記一対の側壁部と、底部と、奥側側壁部とを一体に備え、かつ、前記奥側側壁部に、前記本体側係合部と係合する前記転倒防止治具側係合部が一体に配設されていることを特徴としている。
【００１５】
また、請求項７記載の食器洗浄機は、請求項１〜６のいずれかに記載の発明の構成において、
前記本体ケースに取り付けられ、前記本体ケースの手前方向への移動を防止するための本体ケース側固定用係合部と、
前記設置対象に取り付けられ、前記本体ケース側固定用係合部と係合し、前記本体ケースが手前側に移動して、前記本体側係合部と、前記転倒防止治具側係合部との係合が解除されてしまうことを防止するための設置対象側固定治具と
を備え、
前記本体ケース側固定用係合部と、前記設置対象側固定治具とが締結部材により締結、固定されて前記本体ケースの手前方向への移動が阻止されるように構成されていること
を特徴としている。
【発明の効果】
【００１６】
本願発明（請求項１）の食器洗浄機は、設置対象に取り付けられる転倒防止治具を、上辺が奥側に向かって上り勾配を有する一対の側壁部と、一対の側壁部の間の、一対の側壁部の上辺に沿う方向の奥側の位置に配設され、本体側係合部と係合する転倒防止治具側係合部とを備えた構成としているので、据え付け施工時に、食器洗浄機を転倒防止治具が取り付けられた収納キャビネットなどの設置対象に設置する際に、給水ホース、排水ホース、電源コードおよびアース線などが転倒防止金具に引っ掛かったり、噛み込んだりすることを防止して、円滑に据え付け施工を行うことが可能になる。
【００１７】
また、請求項２の食器洗浄機のように、請求項１の発明の構成において、本体側係合部を、転倒防止治具の一対の側壁部の間に位置させた状態で、本体ケースを、手前側から奥側に移動させることにより、本体側係合部が一対の側壁部にガイドされて奥側に移動し、一対の側壁部の間の、一対の側壁部の上辺に沿う方向の奥側の位置に配設された転倒防止治具側係合部と確実に係合することが可能である。
したがって、複雑な作業を必要とすることなく、容易かつ確実に据え付け施工を行うことができる。
【００１８】
また、請求項３の食器洗浄機のように、請求項１または２の発明の構成において、本体ケースの底面が、中央部が下方に突出した逆凸型形状を有しており、かつ、転倒防止治具が２個、設置対象の上面に、側壁部どうしが対向するように所定の間隔をおいて取り付けられ、本体ケースの下面側に突出した凸部が２個の転倒防止治具の間にはまり込み、２個の転倒防止治具によりガイドされて奥側に移動するようにした場合、本体ケースを奥側に移動させるだけで、複雑な作業を必要とすることなく、本体側係合部を転倒防止治具側係合部と係合させることが可能になり、本願発明をより実効あらしめることができる。
【００１９】
また、請求項４の食器洗浄機のように、請求項１〜３のいずれかに記載の発明の構成において、転倒防止治具側係合部を、一対の側壁部の上辺から突出しないようにした場合、給水ホース、排水ホース、電源コードおよびアース線などが転倒防止治具に引っ掛かったり、噛み込んだりすることをより確実に防止して、本願発明をさらに実効あらしめることができる。
【００２０】
また、請求項５の食器洗浄機のように、請求項１〜４のいずれかに記載の発明の構成において、転倒防止治具側係合部を、奥側から手前側に向かって突出する爪状突起とし、本体側係合部を転倒防止治具側係合部である爪状突起の下側に入り込んで爪状突起と係合する係合片であって、転倒防止治具側係合部である爪状突起に、その手前側部分が上方に傾斜するような曲折部を設け、該上方に傾斜した手前側部分が、本体側係合部である係合片を、爪状突起の下側に入り込ませるガイドとして機能するようにし、かつ、転倒防止治具の爪状突起の曲折部より奥側部分が、本体側係合部である係合片を下方に押し付ける押し付け部として機能するように構成した場合、本体ケースを奥側に押し込むだけで、本体側係合部である係合片が、転倒防止治具の爪状突起の曲折部より奥側に押し込まれ、係合片が爪状突起の曲折部より奥側部分の下面側と当接して下方に押し付けられるため、本体ケースをガタが生じないような状態で確実に保持することが可能になり、本願発明をさらに実効あらしめることができる。
【００２１】
また、請求項６記載の食器洗浄機のように、請求項１〜５のいずれかに記載の発明の構成において、転倒防止治具を、一対の側壁部と、底部と、奥側側壁部とを一体に備え、かつ、奥側側壁部に、本体側係合部と係合する転倒防止治具側係合部が一体に配設された構成とした場合、１つの部材の取り付け作業のみで転倒防止治具を効率よく設置対象に取り付けることが可能になり、本願発明をさらに実効あらしめることができる。
【００２２】
また、請求項７記載の食器洗浄機のように、請求項１〜６のいずれかに記載の発明の構成において、本体ケースに取り付けられ、本体ケースの手前方向への移動を防止するための本体ケース側固定用係合部と、設置対象に取り付けられ、本体ケース側固定用係合部と係合し、本体ケースが手前側に移動して、本体側係合部と、転倒防止治具側係合部との係合が解除されてしまうことを防止するための設置対象側固定治具とを備えた構成とし、本体ケース側固定用係合部と、設置対象側固定治具とを締結部材により締結、固定することにより、本体側係合部と転倒防止治具側係合部との係合が解除され、転倒防止機能を果たさなくなってしまうことを確実に防止して信頼性をさらに向上させることが可能になる。
【発明を実施するための最良の形態】
【００２３】
以下に本願発明の実施例を示して、本願発明の特徴とするところをさらに詳しく説明する。
【実施例１】
【００２４】
図１は本願発明の一実施例にかかる食器洗浄機の構造を示す図、図２は本願発明の食器洗浄機において用いられている転倒防止治具を示す図である。
この実施例の食器洗浄機Ａは、本体ケース１内に洗浄槽（図示せず）が引き出し可能に収容された構造を有し、設置対象である収納キャビネット２上に載置して使用される食器洗浄機である。
【００２５】
そして、この食器洗浄機Ａは、収納キャビネット２に取り付けられる転倒防止治具１２と、本体ケース１に取り付けられ、収納キャビネット２に取り付けられた転倒防止治具１２と係合して、食器洗浄機Ａが転倒することを防止する機能を果たす本体側係合部（係合片）１１とを具備している。
【００２６】
本体側係合部（係合片）１１は、図３に示すように、底面（底部）２１の両側に凹部２１ｂを有し、底面（底部）２１の中央部２１ａ（凸部）が下方に突出した逆凸型形状を有する本体ケース１の、凹部２１ｂの奥側に配設されており、外側から内側に折り曲げられたＬ字状の構造を有している。
【００２７】
また、収納キャビネット２に取り付けられる転倒防止治具１２は、図２，図４などに示すように、上辺が奥側に向かって上り勾配を有する一対の側壁部１３（１３ａ，１３ｂ）と、一対の側壁部１３（１３ａ，１３ｂ）の間の、該側壁部１３の上辺１４に沿う方向の奥側の位置に配設された転倒防止治具側係合部（爪状突起）１５とを備えている。なお、転倒防止治具１２は、さらに、底部２６と、奥側側壁部２７とを備えて一体に形成されており、転倒防止治具側係合部（爪状突起）１５は、垂直な奥側側壁部２７から略９０゜折り曲げられて、手前側に向かって延設されている。
【００２８】
なお、上述のように、垂直な奥側側壁部２７から手前側に向かって延設された転倒防止治具側係合部（爪状突起）１５は、図２，図７，図８(ａ)、(ｂ)などに示すように、その手前側部分（先端部分）１６が上方に傾斜するように曲折部１７が設けられており、該上方に傾斜した手前側部分（先端部分）１６が、本体側係合部（係合片）１１を、転倒防止治具側係合部（爪状突起）１５の下側に入り込ませるガイドとして機能するとともに、転倒防止治具１２の転倒防止治具側係合部（爪状突起）１５の曲折部１７より奥側部分１８が、本体側係合部（係合片）１１を下方に押し付ける押し付け部として機能するように構成されている。
【００２９】
また、一対の側壁部１３（１３ａ，１３ｂ）の間に配設された転倒防止治具側係合部１５は、一対の側壁部１３（１３ａ，１３ｂ）の上辺から突出しない位置に配設されており、後述するように、食器洗浄機の据え付け施工時に、給水ホース３１、排水ホース３２、電源コード３３、アース線３４などが引っ掛からないように構成されている。
【００３０】
また、この実施例の食器洗浄機においては、図４に示すように、転倒防止治具１２が２個、収納キャビネット２の上面に、側壁部１３どうしが対向するように所定の間隔をおいて取り付けネジ１９により取り付けられており、上述のように、中央部（凸部）２１ａが下方に突出した逆凸型形状を有する本体ケース１の底部２１がはまり込み、凹部２１ｂの側面を介して本体ケース１が２個の転倒防止治具１２によりガイドされて奥側に移動し、本体側係合部１１が転倒防止治具側係合部１５と係合して、転倒が防止されるように構成されている。
すなわち、本体ケース１の凸部２１ａを２個の転倒防止治具１２の間にはまり込ませた状態で、奥側に移動させることにより、本体ケース１が２個の転倒防止治具１２によりガイドされるように構成されている。
【００３１】
また、この実施例の食器洗浄機においては、本体側係合部１１が、それぞれの転倒防止治具１２の一対の側壁部１３（１３ａ，１３ｂ）の間に位置した状態で、本体ケース１が、手前側から奥側に移動することになり、本体側係合部１１も、転倒防止治具１２の一対の側壁部１３によりガイドされて奥側に移動するように構成されており、本体ケース１の凸部２１ａを２個の転倒防止治具１２の間にはまり込ませた状態で、奥側に移動させるだけで、本体側係合部１１が転倒防止治具側係合部１５と確実に係合するように構成されている。
【００３２】
さらに、本体ケース１は、本体ケース１の手前方向（前後方向）への移動を防止するための本体ケース側固定用係合部２３と、収納キャビネット２に取り付けられ、本体ケース側固定用係合部２３と係合する収納キャビネット側固定治具２４を備えており、本体ケース側固定用係合部２３と収納キャビネット側固定治具２４とを固定用ネジ（締結部材）２５により結合固定することにより、本体ケース１が手前側に移動して、本体側係合部１１と、転倒防止治具側係合部１５との係合が解除されてしまうことが防止されるように構成されている（図１）。
【００３３】
次に、上述のように構成された食器洗浄機を据え付ける場合の施工方法について説明する。
【００３４】
(１)上述のように構成された食器洗浄機の据え付け施工を行う場合、まず、電源コード３３をコンセントに接続し、アース線３４をアースターミナルに接続した後、図５に示すように、本体ケース１の後部を収納キャビネット２に載せた状態で給水ホース３１と排水ホース３２を奥側に押し込む。
【００３５】
(２)それから、さらに、図６に示すように、本体ケース１を、収納キャビネット２を滑らせながら押し込み、収納キャビネット２の下側から、給水ホース３１と排水ホース３２を手前側に引き寄せる。
【００３６】
(３)その後、図１に示すような状態になるまで本体ケース１を押し込み、本体側係合部１１を転倒防止治具１２の転倒防止治具側係合部１５に係合させた後、本体ケース側固定用係合部２３と収納キャビネット側固定治具２４とをネジ（締結部材）２５により結合固定する。
【００３７】
本願発明の食器洗浄機においては、転倒防止治具１２が、上辺が奥側に向かって上り勾配を有する一対の側壁部１３を備え、転倒防止治具側係合部１５が一対の側壁部１３の間に、かつ、一対の側壁部１３の上辺１４から突出しないように配設された構造を有しているため、前記(１)，(２)の工程で給水ホース３１、排水ホース３２、電源コード３３、アース線３４を押し込んだり、引き出したりする際に、図７に模式的に示すように、給水ホース３１、排水ホース３２、電源コード３３、アース線３４などが一対の側壁部１３の上辺１４に沿って移動することになり、従来の食器洗浄機の場合のように電源コードやアース線、給排水コードなどが転倒防止治具に引っ掛かることを防止することができる。
【００３８】
また、本体ケース１の凸部２１ａを２個の転倒防止治具１２の間にはまり込ませた状態で、奥側に移動させることにより、本体ケース１が２個の転倒防止治具１２によりガイドされるとともに、本体側係合部１１が、それぞれの転倒防止治具１２の一対の側壁部１３（１３ａ，１３ｂ）の間に位置した状態で、転倒防止治具１２の一対の側壁部１３によりガイドされて奥側に移動することになるため、据え付け施工時に、本体ケース１の凸部２１ａを２個の転倒防止治具１２の間にはまり込ませた状態で、奥側に移動させるだけで、図８(ａ)、(ｂ)に示すように、本体側係合部１１を転倒防止治具側係合部１５と確実に係合させることが可能になる。
【００３９】
なお、図８(ａ)、(ｂ)は、本体側係合部（係合片）１１が十分に奥まで押し込まれて、転倒防止治具側係合部（爪状突起）１５の曲折部１７より奥側部分１８の下側まで入り込んで本体側係合部１１と転倒防止治具側係合部１５とが完全に係合した状態、すなわち、転倒防止治具側係合部（爪状突起）１５の奥側部分１８が本体側係合部（係合片）１１を下方に押し付ける押し付け部として機能している状態を示す図である。
【００４０】
また、この実施例の食器洗浄機においては、図８(ａ)、(ｂ)に示すように、上方に傾斜した手前側部分（先端部分）１６が、本体側係合部（係合片）１１を、転倒防止治具側係合部（爪状突起）１５の下側に入り込ませるガイドとして機能するため、本体ケース１の凸部２１ａを奥側に押し込むだけで、図８(ａ)、(ｂ)に示すように、本体側係合部１１を転倒防止治具側係合部１５と確実に係合させることができる。
【００４１】
なお、上記実施例では転倒防止治具１２として、一対の側壁部１３（１３ａ，１３ｂ）と、底部２６と、奥側側壁部２７とを一体に備え、かつ、奥側側壁部２７に、本体側係合部１１と係合する転倒防止治具側係合部１５が一体に配設された、いわゆる一体構造の転倒防止治具を用いるようにしているが、転倒防止治具１２として、一対の側壁部１３（１３ａ，１３ｂ）、底部２６、奥側側壁部２７の各部の全部をあるいは一部を別体として構成することも可能である。
【００４２】
また、上記実施例では、２つの転倒防止治具１２を並べて配設するようにした場合を例にとって説明したが、本体ケース１の底部の構造などに応じて、３以上の転倒防止治具を取り付けるように構成することも可能であり、また、場合によっては１つの転倒防止治具で対応するように構成することも可能である。
【００４３】
本願発明はさらにその他の点においても上記実施例に限定されるものではなく、本体ケースの具体的な構成、本体側係合部の形状や構造、転倒防止治具を構成する転倒防止治具側係合部や側壁部の形状や構造、本体ケース側固定用係合部や収納キャビネット側固定治具の具体的な構成や両者の締結、固定方法などに関し、発明の範囲内において、種々の応用、変形を加えることができる。
【産業上の利用可能性】
【００４４】
上述のように、本願発明によれば、据え付け施工時に、本体ケースに配設されたホースやコードなどが転倒防止治具に引っかかって作業性を低下させることを防止することが可能で、かつ、食器洗浄機の本体ケース側係合部と転倒防止治具側係合部とを容易に係合させることが可能な、据え付け施工時の作業性が良好で、据え付け後の安全性に優れた食器洗浄機を提供することが可能になる。
したがって、本願発明は、転倒防止機能を備えた食器洗浄機の分野に広く適用することが可能である。
【図面の簡単な説明】
【００４５】
【図１】本願発明の一実施例にかかる食器洗浄機の構造を示す図である。
【図２】本願発明の一実施例にかかる食器洗浄機において用いられている転倒防止治具を示す図である。
【図３】本願発明の一実施例にかかる食器洗浄機の、底面（底部）が逆凸型形状を有する本体ケースの構造を示す図である。
【図４】本願発明の一実施例にかかる食器洗浄機の転倒防止治具が、収納キャビネットの上面に、所定の間隔をおいて取り付けられている状態を示す図である。
【図５】本願発明の一実施例にかかる食器洗浄機を据え付け施工する場合において、給水ホースと排水ホースを奥側に押し込んだ状態を示す図である。
【図６】本願発明の一実施例にかかる食器洗浄機の本体ケースを、収納キャビネットを滑らせながら押し込み、収納キャビネットの下側から、給水ホースと排水ホースを手前側に引き寄せた状態を示す図である。
【図７】本願発明の一実施例にかかる食器洗浄機を据え付け施工する場合において、電源コードなどが一対の側壁の上辺に沿って移動する状態を模式的に示す図である。
【図８】本願発明の一実施例にかかる食器洗浄機の本体側係合部を転倒防止治具側係合部と係合させた状態を示す図で、(ａ)は側面図、(ｂ)は背面図である。
【図９】従来の食器洗浄機を示す図である。
【符号の説明】
【００４６】
Ａ      食器洗浄機
１      本体ケース
２      収納キャビネット
１１      本体側係合部（係合片）
１２      転倒防止治具
１３（１３ａ，１３ｂ）      一対の側壁部
１４      側壁部の上辺
１５      転倒防止治具側係合部（爪状突起）
１６      手前側部分（先端部分）
１７      曲折部
１８      奥側部分
１９      取り付けネジ
２１      本体ケースの底面（底部）
２１ａ    本体ケースの底面の中央部（凸部）
２１ｂ    本体ケースの凹部
２３      本体ケース側固定用係合部
２４      収納キャビネット側固定治具
２５      固定用ネジ（締結部材）
２６      底部
２７      奥側側壁部
３１      給水ホース
３２      排水ホース
３３      電源コード
３４      アース線
【図１】
2006340800.tif 000003
【図２】
2006340800.tif 000004
【図３】
2006340800.tif 000005
【図４】
2006340800.tif 000006
【図５】
2006340800.tif 000007
【図６】
2006340800.tif 000008
【図７】
2006340800.tif 000009
【図８】
2006340800.tif 000010
【図９】
2006340800.tif 000011